(57)【特許請求の範囲】
【請求項１】
発射装置によって発射された遊技球が、遊技盤面上にある内レールと外レールとの間に生じる発射経路を通過した後、前記発射経路の終端部に存在する球戻り防止部材を介して遊技領域に進入し、前記遊技領域に進入した遊技球が前記遊技領域に配設された入賞口へ入球することにより賞を得る遊技機であって、
前記遊技領域の略中央部に配設され、遊技盤の後側に配設された表示装置の表示領域を露出させる開口部が設けられた枠状のカバー部材と、
前記遊技領域に植設され、前記遊技領域内を流下する遊技球の方向を変更する複数の遊技釘と
を備え、
前記カバー部材の左上部は、前記外レールと略平行な正面視略円弧状に形成されるとともに、
前記カバー部材の中央部から左側に行くに従って低くなる遊技球転動通路上に、前記遊技球転動通路の上流側に位置する第１面と、前記遊技球転動通路の下流側に位置する第２面とを備え、前記第１面の面積が前記第２面の面積よりも大きい断面略三角形状の突部を有し、
前記複数の遊技釘は、
前記球戻り防止部材の右側の領域において前記外レール及び前記遊技球転動通路の延びる方向と直交するように植設され、その上方を通過した遊技球が前記発射経路に戻ることを防止する複数の球戻り防止用釘と、
前記複数の球戻り防止用釘を越えて前記複数の球戻り防止用釘の右側に到達した遊技球を前記遊技球転動通路上に案内する案内釘と、
前記突部の先端よりも左側かつ上方の領域に植設され、前記遊技球転動通路上を転動してきて前記突部の前記第１面上を通過して跳ね上げられた遊技球の衝突により遊技球の勢いを弱める減速釘と
からなり、
前記突部の先端と前記減速釘との距離は、遊技球の直径の１．０倍よりも大きく１．５倍以下であり、
前記突部の前記第１面を正面から見たときの延長線に直交して前記減速釘と前記遊技球転動通路とを結ぶ線分の長さは、遊技球の直径の１．０倍よりも大きく、
前記線分及び前記延長線の交点と前記減速釘との距離は、遊技球の直径の１．０倍未満である
ことを特徴とする遊技機。
【請求項２】
前記遊技球転動通路は、
前記遊技球転動通路を転動してきた遊技球が跳ね上げられる第１突部と、
前記第１突部の先端から遊技球の直径の１．０倍よりも大きく１．５倍以下の距離だけ離間した箇所に配置され、前記第１突部によって跳ね上げられた遊技球が衝突する複数本の前記減速釘と、
前記第１突部よりも遊技球の略直径分だけ前記遊技球転動通路の下流側において前記減速釘の略直下に配置され、前記減速釘に衝突して落下してきた遊技球が衝突する第２突部と
を有することを特徴とする請求項１に記載の遊技機。
【請求項３】
前記カバー部材の左上部の前側に、前記突部を正面から視認できないように覆うとともに、前記遊技球転動通路を転動する遊技球が前側に跳ね上がるのを防止する跳ね上げ防止板を設けたことを特徴とする請求項１または２に記載の遊技機。
【発明の詳細な説明】
【技術分野】
【０００１】
本発明は、表示装置の表示領域を露出させる枠状のカバー部材や、遊技領域内を流下する遊技球の方向を変更する複数の遊技釘などを備えた遊技機に関するものである。
【背景技術】
【０００２】
パチンコ機は、遊技球が入賞口へ入球することにより賞を得るものであり、入賞口や下流側に遊技球を導いたり遊技球の経路を変更したりするために、遊技領域に複数の遊技釘を有している。しかしながら、近年のパチンコ機は、表示装置の表示領域が大型化される傾向にあるため、遊技釘が植設される領域が小さくなりつつある。その結果、遊技釘の本数が少なくなって遊技球の経路数が減少するため、遊技球は特定の経路を通過するようになる。また、表示装置が液晶式表示装置などの矩形状の装置である場合、表示装置を保護するために枠状のカバー部材（センター役物）が取り付けられるが、一般的なカバー部材の左上部は、中央部から左側に行くに従って徐々に低くなる遊技球転動通路を有している。このため、遊技領域内を流下する遊技球の一部は、遊技球転動通路上を転動して、遊技球転動通路の下端部左側に位置する特定の遊技釘に衝突する可能性が高くなる。特に、表示装置が大型化した昨今にあっては、カバー部材も大型化して遊技球転動通路が長くなるため、遊技球の勢いが強くなりやすい。その結果、衝突時に特定の遊技釘にかかる負担が大きくなるため、特定の遊技釘が破損するおそれがある。しかも、遊技釘には毎日大量の遊技球が衝突するため、遊技釘が破損する可能性は高い。仮に遊技釘が破損すると、製作者の意図した設定値にならないため、遊技者や遊技店への不利益につながってしまう。そこで近年では、これらの実情を鑑みて種々の技術が提案されている（例えば特許文献１〜４参照）。
【特許文献１】特開平６−２１００５２号公報（請求項１、［００１９］〜［００２３］，［００３６］，［００３７］、図７など）
【特許文献２】特開平１０−３２８３６８号公報（［００１５］，［００１８］、図３など）
【特許文献３】特開２０００−２４１９０号公報（［００２９］，［００３１］，［００３３］など）
【特許文献４】特開２００３−４７７０５号公報（［００１７］、図４など）
【発明の開示】
【発明が解決しようとする課題】
【０００３】
ところが、特許文献１，２，４に記載の従来技術では、遊技球の勢いを弱めるための構造がカバー部材に設けられているが、逆に言うと、遊技球の勢いを弱める機能をカバー部材のみに頼り、遊技釘には頼らない構造である。この場合、遊技球の勢いを十分に弱めることができないため、遊技球が衝突した際に遊技釘にかかる負担をあまり軽減することができない。また、特許文献３に記載の従来技術では、カバー部材に設けた構造（突起）で遊技球の勢いを弱めた後、カバー部材から落下した遊技球を遊技釘に衝突させることにより、遊技球の勢いをさらに弱めるようになっている。しかし、遊技球の勢いを一旦弱めたとしても、カバー部材から遊技球が落下する際に再び勢いが強まるため、落下した遊技球を遊技釘に衝突させたとしても遊技球の勢いはさほど弱まらない。ゆえに、遊技釘にかかる負担をあまり軽減することができない。
【０００４】
本発明は上記の課題に鑑みてなされたものであり、その目的は、遊技球の勢いを確実に弱めることにより、遊技球転動通路の下端部近傍にある遊技釘にかかる負担を軽減することができる遊技機を提供することにある。
【課題を解決するための手段】
【０００５】
上記の課題を解決するために、請求項１に記載の発明は、発射装置によって発射された遊技球が、遊技盤面上にある内レールと外レールとの間に生じる発射経路を通過した後、前記発射経路の終端部に存在する球戻り防止部材を介して遊技領域に進入し、前記遊技領域に進入した遊技球が前記遊技領域に配設された入賞口へ入球することにより賞を得る遊技機であって、前記遊技領域の略中央部に配設され、遊技盤の後側に配設された表示装置の表示領域を露出させる開口部が設けられた枠状のカバー部材と、前記遊技領域に植設され、前記遊技領域内を流下する遊技球の方向を変更する複数の遊技釘とを備え、前記カバー部材の左上部は、前記外レールと略平行な正面視略円弧状に形成されるとともに、前記カバー部材の中央部から左側に行くに従って低くなる遊技球転動通路上に、前記遊技球転動通路の上流側に位置する第１面と、前記遊技球転動通路の下流側に位置する第２面とを備え、前記第１面の面積が前記第２面の面積よりも大きい断面略三角形状の突部を有し、前記複数の遊技釘は、前記球戻り防止部材の右側の領域において前記外レール及び前記遊技球転動通路の延びる方向と直交するように植設され、その上方を通過した遊技球が前記発射経路に戻ることを防止する複数の球戻り防止用釘と、前記複数の球戻り防止用釘を越えて前記複数の球戻り防止用釘の右側に到達した遊技球を前記遊技球転動通路上に案内する案内釘と、前記突部の先端よりも左側かつ上方の領域に植設され、前記遊技球転動通路上を転動してきて前記突部の前記第１面上を通過して跳ね上げられた遊技球の衝突により遊技球の勢いを弱める減速釘とからなり、前記突部の先端と前記減速釘との距離は、遊技球の直径の１．０倍よりも大きく１．５倍以下であり、前記突部の前記第１面を正面から見たときの延長線に直交して前記減速釘と前記遊技球転動通路とを結ぶ線分の長さは、遊技球の直径の１．０倍よりも大きく、前記線分及び前記延長線の交点と前記減速釘との距離は、遊技球の直径の１．０倍未満であることを特徴とする遊技機をその要旨とする。
【０００６】
従って、請求項１に記載の発明によると、球戻り防止用釘を越えた遊技球は、案内釘によってカバー部材の左上部にある遊技球転動通路上に案内され、遊技球転動通路上に設けられた突部に衝突して勢いが弱められる。さらに、突部の先端よりも左側かつ上方の領域に減速釘が植設されているため、突部に衝突して跳ね上がった遊技球を減速釘に衝突させることができ、その衝突によってさらに勢いが弱められる。その結果、遊技球の勢いが確実に弱められるため、遊技球転動通路の下流側端部から遊技球が落下して遊技釘に衝突した際に遊技釘にかかる負担を軽減することができる。ゆえに、衝突時の衝撃に伴う遊技釘の破損を防止でき、さらには、遊技釘の破損に起因した不具合も防止できる。
【０００７】
また、突部と減速釘との距離が、遊技球の直径の１．０倍よりも大きく１．５倍以下である。仮に、突部と減速釘との距離が遊技球の直径の１．０倍以下であると、遊技球が突部と減速釘との間を通過できなくなる。一方、突部と減速釘との距離が遊技球の直径の１．５倍よりも大きいと、遊技球が減速釘に衝突しにくくなるため、減速釘によって遊技球の勢いを弱めることが困難になる。また、減速釘によって遊技球の勢いを弱めたとしても、遊技球転動通路上に落下する際に遊技球の勢いが再び強くなるため、遊技球を減速釘に衝突させたとしても得られる効果が小さくなってしまう。
【０００８】
ここで、入賞口としては、始動入賞装置の始動入賞口、普通入賞装置のその他入賞口、大入賞装置の大入賞口などが挙げられる。なお、遊技球が入球する入賞口は、１つのみ配設されていてもよいし、複数個配設されていてもよい。
【０００９】
請求項２に記載の発明は、請求項１において、前記遊技球転動通路は、前記遊技球転動通路を転動してきた遊技球が跳ね上げられる第１突部と、前記第１突部の先端から遊技球の直径の１．０倍よりも大きく１．５倍以下の距離だけ離間した箇所に配置され、前記第１突部によって跳ね上げられた遊技球が衝突する複数本の前記減速釘と、前記第１突部よりも遊技球の略直径分だけ前記遊技球転動通路の下流側において前記減速釘の略直下に配置され、前記減速釘に衝突して落下してきた遊技球が衝突する第２突部とを有することをその要旨とする。
【００１０】
従って、請求項２に記載の発明によると、第１突部から跳ね上げられた遊技球は、減速釘に衝突した後、さらに落下して第２突部に衝突する。即ち、遊技球を第１突部→減速釘→第２突部の順に衝突させることで遊技球の勢いをより確実に弱めることができるため、遊技球転動通路の下流側端部から遊技球が落下して遊技釘に衝突した際に、遊技釘にかかる負担をより確実に軽減することができる。また、第１突部から遊技球の直径の１．０倍よりも大きく１．５倍以下の距離だけ離間した箇所に、複数本の減速釘を配置しているため、第１突部で跳ね上がった遊技球を減速釘に衝突させやすくなる。よって、遊技球の勢いをより確実に弱めることができる。
【００１１】
また、第２突部が減速釘の略直下に配置されているため、減速釘に衝突して落下してくる遊技球を第２突部に衝突させやすくなり、遊技球の勢いがより確実に弱められる。なお、前記第１突部及び前記第２突部は、互いに異なる形状をなしていてもよいし、同一形状をなしていてもよい。
【００１２】
請求項３に記載の発明は、請求項１または２において、前記カバー部材の左上部の前側に、前記突部を正面から視認できないように覆うとともに、前記遊技球転動通路を転動する遊技球が前側に跳ね上がるのを防止する跳ね上げ防止板を設けたことをその要旨とする。
【００１３】
従って、請求項３に記載の発明によると、遊技球転動通路上を転動する遊技球が前側に跳ね上がったとしても、遊技球は跳ね上げ防止板に跳ね返って再び遊技球転動通路上に導かれる。ゆえに、跳ね上がった遊技球が表示装置などに接触することに起因する破損などを防止できる。また、跳ね上げ防止板を設けることにより、見栄えが良くない突部を正面から視認できなくなるように隠すことができる。なお、前記跳ね上げ防止板の前面に装飾を施すようにすれば、よりいっそう見栄えが良くなる。
【００１４】
なお、前記跳ね上げ防止板は、前記複数の球戻り防止用釘、前記案内釘及び前記減速釘を覆っていないことが好ましい。このようにすれば、球戻り防止用釘、案内釘及び減速釘に跳ね返る遊技球の複雑な動きを遊技者に見せることができるため、興趣の向上を図ることができる。
【発明の効果】
【００１５】
以上詳述したように、請求項１〜３に記載の発明によれば、遊技球の勢いを確実に弱めることにより、遊技球転動通路の下端部近傍にある遊技釘にかかる負担を軽減することができる遊技機を提供することができる。特に、請求項２によれば、遊技球の勢いをより確実に弱めることができる。
【発明を実施するための最良の形態】
【００１６】
以下、本発明を遊技機（パチンコ機）の遊技盤１１に具体化した一実施形態を図面に基づき説明する。
（１）遊技盤１１の構成
【００１７】
図１に示されるように、遊技盤１１の遊技盤面１１ａには、遊技領域１２を区画する内レール１３ａ及び外レール１３ｂが略円形状に敷設されている。また、内レール１３ａと外レール１３ｂとの間に生じる発射経路１４には、操作ハンドル（図示略）を操作した際に発射装置によって発射された遊技球Ａ１（図６等参照）が通過するようになっている。そして、発射経路１４を通過した遊技球Ａ１は、発射経路１４の終端部に存在する球戻り防止部材１５を押し広げて遊技領域１２に進入し、遊技領域１２内を流下するようになっている。また、遊技領域１２内には風車１６が配設され、遊技領域１２のほぼ全域には複数の遊技釘４１が植設されている。風車１６及び各遊技釘４１は、遊技領域１２内を流下する遊技球Ａ１の方向を変更するようになっている。
【００１８】
図１に示されるように、遊技盤１１の後側には、複数種類の図柄を変動表示して図柄変動ゲームを行う図柄表示装置１８が配設されている。さらに、遊技領域１２の略中央部には、『カバー部材』としてのセンター役物３１が配設されている。センター役物３１は、図柄表示装置１８を装飾するための枠状部材である。図２，図３等に示されるように、センター役物３１を構成する合成樹脂製の役物本体３２の前面には全体的に装飾が施されており、その略中央部には横長矩形状の開口部３３が設けられている。この開口部３３は、図柄表示装置１８の表示領域Ｈを露出させるべく、表示領域Ｈの大きさに対応して形成されている。また、役物本体３２の外周部には、遊技盤１１への取り付けの際に遊技領域１２に当接するフランジ部３４が突設されている。そして、フランジ部３４の複数箇所を図示しないネジで固定することにより、センター役物３１が遊技盤１１に取り付けられる（図１参照）。
【００１９】
なお図１に示されるように、センター役物３１は、遊技領域１２の右上に偏った状態で配置され、開口部３３を含むセンター役物３１の設置領域の面積は、遊技領域１２の面積の６５％程度を占めている。このため、遊技領域１２に進入した遊技球Ａ１の殆どが、センター役物３１の左側の領域を流下するようになる。即ち、遊技球Ａ１が流下可能な遊技領域１２は、実質的にセンター役物３１の上方、左方及び下方に略限定されている。また、センター役物３１と前記内レール１３ａとの最短距離が遊技球Ａ１の直径の２倍程度に設定されているため、センター役物３１と内レール１３ａとの距離が最短距離となる領域は、役物（風車など）が設置困難な大きさとなっている。
【００２０】
また、センター役物３１の下方には、第１始動入賞口２２ａと第２始動入賞口２２ｂとが形成された始動入賞装置２２が配設されている。第１始動入賞口２２ａ及び第２始動入賞口２２ｂには、遊技領域１２内を流下する遊技球Ａ１が入賞可能になっている。なお、第１始動入賞口２２ａへの遊技球Ａ１の入賞を契機として前記図柄表示装置１８による図柄変動ゲームが開始されると、所定数（本実施形態では３個）の賞球の払い出しが行われるようになっている。同様に、第２始動入賞口２２ｂへの遊技球Ａ１の入賞を契機として図柄表示装置１８による図柄変動ゲームが開始されると、所定数（本実施形態では４個）の賞球の払い出しが行われるようになっている。
【００２１】
図１に示されるように、第２始動入賞口２２ｂは、第１始動入賞口２２ａの直下に配置され、普通電動役物が一体的に構成された入賞口である。普通電動役物は、一対の羽根部材２２ｃからなり、図示しないソレノイドの励磁作用で第２始動入賞口２２ｂを開放することにより、第２始動入賞口２２ｂへの遊技球Ａ１の入賞が許容されるようになっている。
【００２２】
また、始動入賞装置２２の下方には、図示しないソレノイドにより開閉動作を行う開閉扉を備えた大入賞装置２４が配設されている。大入賞装置２４は、大入賞口への遊技球の入賞を契機として、所定数（本実施形態では１５個）の賞球の払い出しが行われるようになっている。さらに、遊技領域１２において大入賞装置２４の左方には、左下外入賞口２３ａと左下内入賞口２３ｂとが配設されている。また、遊技領域１２において大入賞装置２４の右方には、右下外入賞口２３ｃと右下内入賞口２３ｄとが配設されている。これらの入賞口２３ａ，２３ｂ，２３ｃ，２３ｄは、遊技球の入賞を契機として、所定数（本実施形態では１０個）の賞球の払い出しが行われるようになっている。なお、遊技領域１２の最下部（内レール１３ａの下端部）には、いずれの入賞口２２，２３ａ〜２３ｄ，２４にも入賞しなかった遊技球Ａ１を回収するためのアウト口２５が配置されている。
【００２３】
図１等に示されるように、前記センター役物３１の左側部には、遊技球Ａ１の通過を検知する機能を有するゲート２６が一体的に設けられている。ゲート２６は、上下方向に開口しており、遊技領域１２内を流下する遊技球Ａ１が上方から通過可能になっている。ゲート２６の奥方には、通過した遊技球Ａ１を検知するゲートスイッチ２７（図９，図１０参照）が設けられている。なお、ゲートスイッチ２７にて遊技球Ａ１が検知された場合に乱数を取得し、取得した乱数が所定の乱数値であるか否かに基づいて前記普通電動役物のソレノイドが駆動される。このような開放判定によって普通電動役物の一対の羽根部材２２ｃが開放されるため、第２始動入賞口２２ｂに遊技球Ａ１が入賞しやすくなる。
【００２４】
図１，図２等に示されるように、センター役物３１の右下部には、当りの図柄「○」を示す可視表示部と、ハズレの図柄「×」を示す可視表示部とを備えた普通図柄表示部３５が配設されている。この普通図柄表示部３５では、ゲートスイッチ２７にて遊技球Ａ１が検知された場合に、普通図柄を変動させて表示（「○」及び「×」を交互に点灯）する普通図柄変動ゲームが開始され、該普通図柄変動ゲームの結果として、乱数抽選の結果を示す普通図柄が表示（一方の可視表示部が点灯）されるようになっている。そして、当りの図柄が導出された場合（普通図柄変動ゲームに当選した場合）、普通電動役物のソレノイドが所定時間だけ駆動され、一対の羽根部材２２ｃが開放されるようになっている。
【００２５】
また、普通図柄表示部３５の右上には、普通図柄保留表示装置Ｆが配設されている。普通図柄保留表示装置Ｆは、第１保留ランプ、第２保留ランプ、第３保留ランプ及び第４保留ランプからなる複数（４個）の発光手段によって構成されている。保留ランプは、ゲート２６の通過を契機として記憶された遊技球Ａ１（普通図柄保留球）が存在する場合に点灯し、普通図柄保留球が存在しない場合に消灯する。各保留ランプは、普通図柄保留球の数（普通図柄保留球数）を示すためのものである。例えば、普通図柄保留球が２個である場合、２個の保留ランプが点灯する。
【００２６】
ここで、「普通図柄保留球数」とは、ゲート２６を通過した遊技球Ａ１の数を所定の最大値（本実施形態では４）の範囲で記憶した値である。普通図柄保留球数は、ゲート２６への遊技球Ａ１の通過により「＋１」され、開放判定が行われたことにより「−１」される。
（２）センター役物３１の左上部の構成
【００２７】
図１〜図８に示されるように、センター役物３１の左上部は、前記外レール１３ｂと略平行な正面視略円弧状に形成されており、センター役物３１の中央部から左側に行くに従って低くなる傾斜した円弧状の遊技球転動通路９１を有している。遊技球転動通路９１は、遊技領域１２の上部位置に打ち出されて遊技球転動通路９１へ流下した遊技球Ａ１を、遊技球転動通路９１に沿ってセンター役物３１の左側部へ流下案内するようになっている。
【００２８】
図３，図６〜図８に示されるように、遊技球転動通路９１上には、上流側突部９２、第１突部９３及び第２突部９４が互いに離間した状態で配設されている。上流側突部９２、第１突部９３及び第２突部９４は、遊技球転動通路９１上を転動してきた遊技球Ａ１を跳ね上げるためのものである。上流側突部９２は、遊技球転動通路９１において最も上流側に配置された突部である。第１突部９３は、上流側突部９２よりも遊技球Ａ１の略４個分の直径だけ遊技球転動通路９１の下流側に配置されている。第２突部９４は、第１突部９３よりも遊技球Ａ１の略直径分だけ遊技球転動通路９１の下流側に配置されている。また、上流側突部９２、第１突部９３及び第２突部９４は、遊技球転動通路９１の上流側に位置する第１面９５と、遊技球転動通路９１の下流側に位置する第２面９６とを有し、それぞれ断面略三角形状をなしている。各突部９２，９３，９４において、第１面９５の面積は第２面９６の面積よりも大きくなっている。また、遊技球転動通路９１からの上流側突部９２の突出量は、遊技球Ａ１の直径の約７分の１に設定され、遊技球転動通路９１からの第１突部９３及び第２突部９４の突出量は、遊技球Ａ１の直径の約６分の１に設定されている。さらに、各突部９２，９３，９４の奥行方向（遊技球転動通路９１に直交する方向）の長さは、互いに等しくなっている。そして、第１突部９３及び第２突部９４は互いに同一形状をなしている。また、第１突部９３が有する第１面９５の水平面を基準とした傾斜角は、上流側突部９２が有する第１面９５の水平面を基準とした傾斜角よりも小さく、第２突部９４が有する第１面９５の水平面を基準とした傾斜角は、第１突部９３が有する第１面９５の水平面を基準とした傾斜角よりも小さくなっている。即ち、第１面９５の水平面を基準とした傾斜角は、下流側の突部に行くに従って大きくなっている。
【００２９】
図１〜図５に示されるように、前記センター役物３１の左上部の前側には、遊技球転動通路９１に沿って延びる跳ね上げ防止板９７が取り付けられている。跳ね上げ防止板９７は、遊技球転動通路９１を転動する遊技球Ａ１が前側に跳ね上がるのを防止するためのものである。跳ね上げ防止板９７は、各突部９２，９３，９４を正面から視認できないように覆っている。即ち、遊技球転動通路９１からの跳ね上げ防止板９７のセンター役物３１から離間する方向への突出量は、遊技球転動通路９１からの各突部９２，９３，９４の突出量よりも大きくなっている。また、跳ね上げ防止板９７の長手方向における長さは、上流側突部９２から第２突部９４までの距離よりも長くなっている。なお、跳ね上げ防止板９７の前面には、文字や絵などの装飾が施されている。また、センター役物３１内において各突部９２，９３，９４の裏側（後方）となる箇所には、跳ね上げ防止板９７の後方にある図示しない発光ダイオード（発光手段）を発光させるための発光制御基板９８が設けられている（図２参照）。
（３）遊技釘４１の配置
【００３０】
図１，図５〜図８に示されるように、前記各遊技釘４１の一部は、球戻り防止用釘４２、案内釘４３及び減速釘４４ａ，４４ｂ，４４ｃとなっている。これら球戻り防止用釘４２、案内釘４３及び減速釘４４ａ〜４４ｃは、正面視で跳ね上げ防止板９７によって隠れない位置に植設されている。球戻り防止用釘４２は、前記遊技領域１２において複数本存在しており、前記球戻り防止部材１５の右側の領域において前記外レール１３ｂ、遊技球転動通路９１及び跳ね上げ防止板９７が延びる方向と直交するように植設されている。そして、各球戻り防止用釘４２よりも右側の位置に上流側突部９２が配置され、各球戻り防止用釘４２よりも左側の位置に第１突部９３及び第２突部９４が配置されている。また、隣接する球戻り防止用釘４２間の距離は、遊技球Ａ１の直径分よりも小さくなっている。各球戻り防止用釘４２は、最も上方に位置する球戻り防止用釘４２の上方を通過して各球戻り防止用釘４２の右側に到達した遊技球Ａ１が前記発射経路１４に戻ることを防止するためのものである。また、案内釘４３は、遊技領域１２において複数本存在しており、遊技球転動通路９１及び跳ね上げ防止板９７が延びる方向に沿って植設されている。各案内釘４３は、各球戻り防止用釘４２を越えて各球戻り防止用釘４２の右側に到達した遊技球Ａ１を遊技球転動通路９１上に案内するためのものである。
【００３１】
図６〜図８に示されるように、減速釘４４ａ〜４４ｃは、上流側突部９２の近傍と突部９３，９４の近傍とにそれぞれ植設されている。詳述すると、上流側突部９２の近傍にある減速釘４４ａは、上流側突部９２の先端（具体的には、第１面９５と第２面９６との接続部分）よりも左側かつ上方の領域に１本植設されている。減速釘４４ａは、遊技球転動通路９１上を転動してきて上流側突部９２の第１面９５上を通過して跳ね上げられた遊技球Ａ１の衝突により、遊技球Ａ１の勢いを弱めるようになっている。また、突部９３，９４の近傍にある減速釘４４ｂ，４４ｃは、第１突部９３の先端（具体的には、第１面９５と第２面９６との接続部分）よりも左側かつ上方の領域であって、第２突部９４の先端（具体的には、第１面９５と第２面９６との接続部分）よりも上方の領域に、２本植設されている。即ち、第２突部９４は減速釘４４ｂ，４４ｃの略直下に配置されている。減速釘４４ｂ，４４ｃは、遊技球転動通路９１上を転動してきて第１突部９３の第１面９５上を通過して跳ね上げられた遊技球Ａ１の衝突により、遊技球Ａ１の勢いを弱めるようになっている。そして、減速釘４４ｂ，４４ｃに衝突した遊技球Ａ１は、落下して第２突部９４に衝突するようになっている。
【００３２】
なお図７（ａ），（ｂ）に示されるように、上流側突部９２の先端と、減速釘４４ａの軸部（図６，図７の破線部分参照）の外周面との距離は、遊技球Ａ１の直径（１１ｍｍ）の１．０３倍程度に設定されている。また、上流側突部９２の第１面９５を正面から見たときの延長線Ｌ１に直交して減速釘４４ａの軸部の外周面と遊技球転動通路９１とを結ぶ線分Ｌ２の長さは、遊技球Ａ１の直径の１．２０倍程度に設定されている。さらに、線分Ｌ２及び延長線Ｌ１の交点Ｓ１と減速釘４４ａの軸部の外周面との距離は、遊技球Ａ１の直径の０．８８倍程度に設定されている。
【００３３】
また図８（ａ），（ｂ）に示されるように、第１突部９３の先端と、２本の減速釘４４ｂ，４４ｃのうち右側にある減速釘４４ｃの軸部（図６，図８の破線部分参照）の外周面との距離は、遊技球Ａ１の直径の１．０３倍程度に設定されている。また、第１突部９３の第１面９５を正面から見たときの延長線Ｌ３に直交して減速釘４４ｃの軸部の外周面と遊技球転動通路９１とを結ぶ線分Ｌ４の長さは、遊技球Ａ１の直径の１．４１倍程度に設定されている。さらに、線分Ｌ４及び延長線Ｌ３の交点Ｓ２と減速釘４４ｃの軸部の外周面との距離は、遊技球Ａ１の直径の０．９３倍程度に設定されている。
（４）センター役物３１の左側部の構成
【００３４】
図１〜図３，図９〜図１２等に示されるように、センター役物３１の左側部（前記発射経路１４側の側部）には、前記ゲート２６、第１球入口７２、第１球出口７３、第２球入口７４及び球案内通路７５が設けられている。第１球入口７２は、ゲート２６よりもセンター役物３１の前記開口部３３側、具体的には、ゲート２６の右上に配置されている。また、第１球入口７２は、ゲート２６から遊技球Ａ１が通過不能な間隔を隔てて配置されている。そして、第１球入口７２は、センター役物３１の左側方にて開口している。よって、遊技領域１２内を流下する遊技球Ａ１は、第１球入口７２の左側方から迂回経路７６内に進入可能となっている。
【００３５】
なお、迂回経路７６は、ガイド板７７及び装飾カバー部材７８によって構成されている。ガイド板７７は、ゲート２６の開口部３３側においてゲート２６に隣接して配置されている。ガイド板７７は、センター役物３１の外側領域に向かって凹状に形成された板状部材であり、前記役物本体３２の前面に突設されている。よって、ガイド板７７は、センター役物３１の外側領域を向いた凹状の湾曲面７７ａを有している。ガイド板７７は、第１球入口７２を介して迂回経路７６内に進入した遊技球Ａ１を第１球出口７３に案内するようになっている。また、装飾カバー部材７８は、迂回経路７６を前方から覆うように設けられ、ガイド板７７の前端（先端）に接続されている。装飾カバー部材７８は、迂回経路７６を通過する遊技球Ａ１が前側に移動するのを防止するためのものである。また、装飾カバー部材７８は、複数の孔部を有する梯子状をなしており、迂回経路７６内を正面から視認できるように形成されている。なお、本実施形態の装飾カバー部材７８は、前記跳ね上げ防止板９７と一体形成されているため、センター役物３１の部品点数を削減することができる。
【００３６】
図１〜図３，図９，図１０に示されるように、第１球出口７３は、センター役物３１の左側部において第１球入口７２の下方に設けられている。また、第１球出口７３は、ゲート２６よりもセンター役物３１の開口部３３側、具体的には、ゲート２６の右下に配置されている。そして、第１球出口７３は、センター役物３１の左側方にて開口している。よって、第１球入口７２を介して迂回経路７６内に進入した遊技球Ａ１は、第１球出口７３から前記遊技領域１２においてゲート２６の下方の領域に放出されるようになっている。
【００３７】
また、第１球出口７３の下端部には、第１球出口７３から遊技領域１２に放出された遊技球Ａ１を左方向（センター役物３１から離間する方向）へ誘導する第１球出口側突片７３ａが設けられている。第１球出口側突片７３ａは、第１球出口７３の開口端から左方に突出しており、第１球出口側突片７３ａの上面は、前記ガイド板７７の湾曲面７７ａに接続されている。第１球出口側突片７３ａの突出量は、第１球出口側突片７３ａの先端がゲート２６の開口端の直下に到達する程度、換言すると、第１球出口側突片７３ａの先端がゲート２６を通過して遊技領域１２内を流下する遊技球Ａ１に何とか接触する程度に設定されている。そして、遊技領域１２内において第１球出口側突片７３ａの突出方向の略延長線上には、誘導釘４５（図１０（ａ）参照）が植設されている。誘導釘４５は、遊技領域１２内を流下する遊技球Ａ１、または、第１球出口７３から放出された遊技球Ａ１を前記第２球入口７４に誘導しうるようになっている。
【００３８】
図１〜図３，図９〜図１１等に示されるように、第２球入口７４は、センター役物３１の左側部において第１球出口７３の下方に設けられている。そして、第２球入口７４は、センター役物３１の左側方にて開口している。よって、遊技領域１２内を流下する遊技球Ａ１は、第２球入口７４の左側方から前記球案内通路７５内に進入可能となっている。また、第２球入口７４の下端部には、遊技領域１２内を流下する遊技球Ａ１を第２球入口７４側に誘導する第２球入口側突片７４ａが設けられている。第２球入口側突片７４ａは、第２球入口７４の開口端から左上方に突出している。水平面からの第２球入口側突片７４ａの角度は約３０°に設定されている。第２球入口側突片７４ａの突出量は、前記第１球出口側突片７３ａの突出量と略等しくなっている。
【００３９】
図１１〜図１４に示されるように、球案内通路７５は、センター役物３１の左側部に沿って下方に延びている。即ち、球案内通路７５は、第２球入口７４を通過した遊技球Ａ１を下方へ案内し、球案内通路７５の下端に設けた球出口７９からセンター役物３１の内側領域に案内するようになっている。
（５）ステージ８１の構成
【００４０】
図１１〜図１４に示されるように、センター役物３１の内側領域の下部（即ち、前記役物本体３２の前記開口部３３の下側部分）には、球案内通路７５から案内された遊技球Ａ１を前記遊技領域１２に放出するステージ８１が設けられている。ステージ８１は、開口部３３の下端縁に沿って左右方向に延設されている。ステージ８１は、球案内通路７５から案内された遊技球Ａ１を受けて転動させる転動面８２をその上部に有している。転動面８２の幅（遊技機前後方向における寸法）は、遊技球Ａ１の直径よりもやや広くなっている。転動面８２は、中央にある凸部８３において最も高くなるとともに、凸部８３の左側にある左凹部８４ａ及び右側にある右凹部８４ｂにて最も低くなっており、全体として曲線的な起伏形状をなしている。また、ステージ８１の前端側には、上方向に突出する遊技球落下阻止板８７が設けられている。遊技球落下阻止板８７は、左凹部８４ａ及び右凹部８４ｂに対応する位置が切り欠かれており、左凹部８４ａ及び右凹部８４ｂ以外の部位から遊技球Ａ１が遊技領域１２に落下するのを阻止するようになっている。
【００４１】
図１２〜図１４に示されるように、凸部８３は、円形状をなす落下孔８６を有している。また、凸部８３は、後側に行くに従って低くなる形状をなす凸部放出部８５を有している。凸部放出部８５は、前面側から見て凹状をなしており、後側に行くに従って幅広になっている。また、落下孔８６は球経路に連通しており、球経路の末端には、前記フランジ部３４の前面にて開口する排出口８８が設けられている。なお、排出口８８は、前記始動入賞装置２２の真上位置かつ始動入賞装置２２の後側に存在している。
（６）可動体ユニット５１の構成
【００４２】
図１，図１５に示されるように、前記センター役物３１の内側領域の下部には、前記図柄表示装置１８での表示演出に合わせた可動演出を行う可動体ユニット５１が取り付けられている。図１５〜図２２等に示されるように、可動体ユニット５１を構成するユニット本体５２には、６個の演出用可動体５３と、３つの可動体カバー５４とが取り付けられている。３つの可動体カバー５４のうち２つの可動体カバー５４は、それぞれ３個の演出用可動体５３の下側に配置され、残り１つの可動体カバー５４は、両可動体カバー５４の間に配置されている。なお、各可動体カバー５４と前記ステージ８１とによって、遊技球Ａ１が通過する遊技球通路が構成される。また、各可動体カバー５４の下側面は、全体として曲線的な起伏形状をなしているため、ステージ８１から遊技領域１２に落下する遊技球Ａ１の動きに変化を与えることができる。
【００４３】
また、各演出用可動体５３は、ユニット本体５２の上側において回動軸５５を介して上下方向に揺動可能となっている。また、各演出用可動体５３は発光部５６を備えており、発光部５６は、演出用可動体５３内において発光部５６の裏側に配設されたＬＥＤ基板５７の発光ダイオード（図示略）によって点灯・点滅するようになっている。
【００４４】
図１６〜図１９等に示されるように、各演出用可動体５３は、ユニット本体５２に内蔵された可動体モータ５８の回転に伴って揺動するようなっている。具体的に言うと、可動体モータ５８の回転軸にはモータギア５９が取り付けられ、モータギア５９には第１リブ６０が設けられている。また、演出用可動体５３には、上下方向に延びるアーム６１が回動軸６１ａを介して回動可能に設けられ、アーム６１の下端部には、モータギア５９側に突出する第２リブ６２が形成されている。そして、可動体モータ５８及びモータギア５９が回転すると、モータギア５９に設けられた第１リブ６０が第２リブ６２を押し下げることにより、各演出用可動体５３のうち１つの演出用可動体５３が揺動するようになっている（図１８及び図２１（ａ），（ｂ）参照）。これに伴い、演出用可動体５３に対して揺動可能に取り付けられた人形６３が、同人形６３の自重により演出用可動体５３にぶら下がった状態となる（図１８，図２１（ａ）参照）。また、一端がアーム６１に取り付けられるとともに他端がユニット本体５２に取り付けられたバネ６４が延びるようになる。その後、さらに可動体モータ５８及びモータギア５９が回転し、第１リブ６０が第２リブ６２から離れていくと、バネ６４の復元力により、演出用可動体５３及び人形６３は元の位置に戻る（図２０（ａ），（ｂ）参照）。なお、他の演出用可動体５３を揺動させる機構は、モータギア５９の第１リブ６０によって揺動する演出用可動体５３と同様の機構となっている。即ち、他の演出用可動体５３は、それぞれ連結ギア６５に設けられた第１リブ６０によって揺動するようになっている。連結ギア６５は、他の連結ギア６５や中継ギア６６に噛み合っており、モータギア５９の回転に伴って回転するようになっている（図１９参照）。
【００４５】
図１６，図２２に示されるように、モータギア５９において第１リブ６０が設けられている面の反対側の面には、遮光板６７が突設されている。また、ユニット本体５２内にはセンサ基板６８が設けられ、センサ基板６８には、遮光板６７を検出する位置検出センサ６９が設けられている。位置検出センサ６９は、略コ字状をなし、溝部を隔てて互いに向かい合う発光部と受光部とを備えている。位置検出センサ６９は、モータギア５９の回動に伴う遮光板６７の動きを非接触状態で検知するようになっている。具体的に言うと、位置検出センサ６９は、第１リブ６０が第２リブ６２に接触していない状態であって、発光部からの光を遮光板６７が遮って受光部が受光不能となる場合（図２２（ａ），（ｂ）参照）に、遮光板６７を検知する（オン状態となる）ようになっている。この場合、位置検出センサ６９は、演出用可動体５３が揺動前の初期位置にあることを示す検出信号を、パチンコ機が備える統括制御基板（図示略）のＣＰＵ（中央処理装置）に出力する。一方、発光部からの光を受光部が受光可能となる場合、位置検出センサ６９は、遮光板６７を検知せず（オフ状態となり）、検出信号を出力しない。
【００４６】
次に、遊技球転動通路９１を通過する遊技球Ａ１の動きを説明する。
【００４７】
例えば、発射装置によって発射されて遊技領域１２に進入した遊技球Ａ１が球戻り防止用釘４２の上方を通過した場合、遊技球Ａ１は、センター役物３１の上部中央付近に到達する。そして、遊技球Ａ１は、案内釘４３などに衝突しながら遊技球転動通路９１上に案内される。
【００４８】
遊技球Ａ１が、遊技球転動通路９１上を流下して上流側突部９２に到達した場合（図６，図７（ａ）参照）、遊技球Ａ１は、上流側突部９２に衝突して勢いが弱められる。さらに、遊技球Ａ１は、上流側突部９２の第１面９５上を通過して跳ね上げられて減速釘４４ａに衝突する（図７（ｂ）参照）。これにより、遊技球Ａ１の勢いが弱められるとともに遊技球Ａ１の向きが変更され、遊技球Ａ１は、遊技球転動通路９１における上流側突部９２の下流側の領域に落下する。そして、遊技球Ａ１は、再び遊技球転動通路９１上を流下する。
【００４９】
次に、遊技球Ａ１が遊技球転動通路９１上を流下して第１突部９３に到達した場合（図６参照）、遊技球Ａ１は、第１突部９３に衝突して勢いが弱められる。さらに、遊技球Ａ１は、第１突部９３の第１面９５上を通過して跳ね上げられて減速釘４４ｂ，４４ｃに衝突する（図８（ａ）参照）。これにより、遊技球Ａ１の勢いが弱められるとともに遊技球Ａ１の向きが変更され、遊技球Ａ１は、落下して第２突部９４上に衝突し、勢いがさらに弱められる（図８（ｂ）参照）。さらに、遊技球Ａ１は、第２突部９４の第１面９５上を通過して跳ね上げられ、遊技球転動通路９１における第２突部９４の下流側に落下する。その後、遊技球Ａ１は、再び遊技球転動通路９１上を流下し、遊技球転動通路９１の左端部（下流側端部）から落下する。
【００５０】
次に、センター役物３１の左側を流下する遊技球Ａ１の動きを説明する。
【００５１】
遊技球転動通路９１の左端部から落下するなどして、遊技領域１２内においてセンター役物３１の左端部近傍まで流下した遊技球Ａ１は、１．ゲート２６に進入する経路、２．第１球入口７２から迂回経路７６に進入する経路、３．ゲート２６の左側の経路のいずれかを通過する。１．の経路をとる場合、遊技球Ａ１は、ゲート２６を通過した後、遊技領域１２におけるゲート２６の下方の領域を流下する（図１０（ａ）参照）。なお、遊技球Ａ１は、ゲート２６の下方の領域に到達した際に第１球出口側突片７３ａに接触すると、向きが変更されて左下方に流下するが、第１球出口側突片７３ａに接触しなければ、そのまま下方に流下する。一方、２．の経路をとる場合、遊技球Ａ１は、第１球入口７２から迂回経路７６に進入した後、迂回経路７６を通過して第１球出口７３からゲート２６の下方の領域に導かれる（図９参照）。このとき、遊技球Ａ１は、第１球出口側突片７３ａによって左方向に誘導されて誘導釘４５（図１０（ａ）参照）に衝突しうるようになっている。遊技球Ａ１が誘導釘４５に衝突すると、遊技球Ａ１は、誘導釘４５によって向きが変更され、第２球入口７４側に誘導される。なお、３．の経路をとる場合、遊技球Ａ１は、遊技釘４１によって向きを変更しながら遊技領域１２内を流下する。そして、誘導釘４５に衝突すると、遊技球Ａ１は、誘導釘４５によって向きが変更され、第２球入口７４側に誘導される可能性が高くなる。
【００５２】
その後、１．〜３．の経路を通過した遊技球Ａ１が第２球入口側突片７４ａ上に到達すると、遊技球Ａ１は、第２球入口側突片７４ａ上を転動して第２球入口７４から球案内通路７５内に進入する（図１２参照）。そして、遊技球Ａ１は、球案内通路７５内を下方に移動し、球出口７９からステージ８１の転動面８２上に導かれる。
【００５３】
次に、ステージ８１による遊技球Ａ１の振分方法を説明する。
【００５４】
図１４に示されるように、転動面８２上に導かれた遊技球Ａ１は、凸部８３、左凹部８４ａ及び右凹部８４ｂを通過するのに伴って加減速を繰り返しながら、転動面８２上を左右方向に往復移動する。そして、遊技球Ａ１の勢いがなくなると、遊技球Ａ１は、凸部放出部８５、左凹部８４ａ及び右凹部８４ｂのいずれか１つから遊技領域１２に放出される。具体的に言うと、凸部放出部８５に到達した遊技球Ａ１は、落下孔８６を介して球経路内に進入し、排出口８８から遊技領域１２に放出される。なお図１に示されるように、落下孔８６に導かれた遊技球Ａ１は、始動入賞装置２２の直上から落下するため、高確率で始動入賞装置２２の第１始動入賞口２２ａに入球する。一方、左凹部８４ａや右凹部８４ｂに導かれた遊技球Ａ１は、直接遊技領域１２に放出される。なお図１４に示されるように、遊技領域１２を流下する遊技球Ａ１が遊技釘４１に跳ね返って転動面８２上に導かれた場合でも、遊技球Ａ１は転動面８２上を転動し、凸部放出部８５、右凹部８４ｂ及び右凹部８４ｂのいずれかから遊技領域１２に放出される。
【００５５】
従って、本実施形態によれば以下のような効果を得ることができる。
【００５６】
（１）本実施形態のパチンコ機では、遊技球転動通路９１上に案内された遊技球Ａ１が、遊技球転動通路９１上に設けられた上流側突部９２、第１突部９３及び第２突部９４に衝突することにより、遊技球Ａ１の勢いが弱められる。さらに、上流側突部９２の先端よりも左側かつ上方の領域に減速釘４４ａが植設され、第１突部９３の先端よりも左側かつ上方の領域に減速釘４４ｂ，４４ｃが植設されている。このため、上流側突部９２や第２突部９４に衝突して跳ね上がった遊技球Ａ１を減速釘４４ａ〜４４ｃに衝突させることができ、その衝突によってさらに遊技球Ａ１の勢いが弱められる。その結果、遊技球Ａ１の勢いが確実に弱められるため、遊技球転動通路９１の下流側端部から遊技球Ａ１が落下して特定の遊技釘４１ａ（図１参照）に衝突した際に遊技釘４１ａにかかる負担を軽減することができる。ゆえに、衝突時の衝撃に伴う遊技釘４１ａの破損を防止でき、さらには、遊技釘４１ａの破損に起因した不具合も防止できる。
【００５７】
（２）本実施形態では、第１突部９３が、上流側突部９２よりも遊技球Ａ１の略４個分の直径だけ遊技球転動通路９１の下流側に配置され、第２突部９４が、第１突部９３よりも遊技球Ａ１の略直径分だけ遊技球転動通路９１の下流側に配置されている。即ち、各突部９２，９３，９４は、等間隔に配置されていない。これにより、各突部９２，９３，９４に衝突した遊技球Ａ１の動きが複雑化される。その結果、遊技者は遊技球転動通路９１を通過する遊技球Ａ１の動きに興味を持つようになるため、遊技者に新鮮味を与えることができ、興趣の向上を図ることができる。
【００５８】
（３）遊技釘４１ａへの負担を抑えるための他の方法としては、遊技球Ａ１の経路を増やすことなどが考えられるが、そのためには遊技釘４１を増やす必要がある。また、遊技球Ａ１の直径は１１．０ｍｍであるため、遊技釘４１同士の間隔を遊技球Ａ１の直径以上にする必要がある。しかしながら、本実施形態のように、センター役物３１の設置領域の面積が遊技領域１２の面積の６５％程度を占める場合、遊技領域１２において遊技釘４１を植設できるスペースは限られている。ゆえに、遊技球Ａ１の経路を増やすなどすることは困難である。そこで本実施形態では、遊技球転動通路９１上に突部９２，９３，９４を設けるとともに、遊技領域１２に減速釘４４ａ〜４４ｃを植設することにより、遊技球Ａ１の勢いを弱めているため、遊技釘４１を増やさなくても遊技釘４１ａへの負担を抑えることができる。
【００５９】
なお、本発明の実施形態は以下のように変更してもよい。
【００６０】
・上記実施形態では、遊技球転動通路９１上に３つの突部９２，９３，９４が設けられていたが、突部の数は２つ以下であってもよいし、４つ以上であってもよい。
【００６１】
・上記実施形態では、第１突部９３及び第２突部９４からなる組が遊技球転動通路９１上において一組のみ配置されていたが、複数組配置されていてもよい。
【００６２】
・上記実施形態では、上流側突部９２の先端よりも左側かつ上方の領域に減速釘４４ａが植設され、第１突部９３の先端よりも左側かつ上方の領域に減速釘４４ｂ，４４ｃが植設されていた。しかし、第２突部９４の先端よりも左側かつ上方の領域にも減速釘が植設されていてもよい。このようにすれば、第２突部９４の先端よりも左側かつ上方の領域に植設された減速釘に遊技球Ａ１が衝突することによっても、遊技球Ａ１の勢いを弱めることができる。
【００６３】
・上記実施形態の装飾カバー部材７８は、跳ね上げ防止板９７と一体形成されていたが、跳ね上げ防止板９７とは別体に形成されていてもよい。
【００６４】
次に、特許請求の範囲に記載された技術的思想のほかに、前述した実施形態によって把握される技術的思想を以下に列挙する。
【００６５】
（１）請求項１乃至３のいずれか１項において、前記遊技球転動通路からの前記突部の突出量は、遊技球の直径の半分以下の大きさであることを特徴とする遊技機。
【００６６】
（２）請求項１乃至３、技術的思想（１）のいずれか１つにおいて、前記突部が有する前記第１面の水平面を基準とした傾斜角は、前記遊技球転動通路における下流側の突部に行くに従って大きくなっていることを特徴とする遊技機。
【００６７】
（３）請求項２において、前記遊技球転動通路は、前記複数の球戻り防止用釘よりも右側の位置に上流側突部を有していることを特徴とする遊技機。
【００６８】
（４）請求項２または技術的思想（３）において、前記第１突部及び前記第２突部が同一形状をなしていることを特徴とする遊技機。
【００６９】
（５）請求項３において、前記跳ね上げ防止板は、正面視で前記複数の球戻り防止用釘、前記案内釘及び前記減速釘を隠していないことを特徴とする遊技機。
【００７０】
（６）請求項３または技術的思想（５）において、前記跳ね上げ防止板の前面に装飾を施したことを特徴とする遊技機。
【００７１】
（７）請求項３、技術的思想（５），（６）のいずれか１つにおいて、前記カバー部材の側部に、前記遊技領域内を流下する遊技機が側方から迂回経路内に進入可能な第１球入口を設け、前記跳ね上げ防止板は、前記迂回経路を前方から覆う装飾カバー部材と一体形成されていることを特徴とする遊技機。
【００７２】
（８）請求項１乃至３、技術的思想（１）乃至（７）のいずれか１つにおいて、前記開口部を含む前記カバー部材の設置領域の面積は、前記遊技領域の面積の６０％以上を占めており、前記遊技領域に進入した遊技球の殆どが、前記カバー部材の左側を流下し、前記カバー部材と前記内レールとの最短距離が遊技球の直径の３倍以下に設定され、前記カバー部材と前記内レールとの間の領域が役物が設置困難な大きさであることを特徴とする遊技機。
【００７３】
（９）請求項１乃至３、技術的思想（１）乃至（８）のいずれか１つにおいて、前記カバー部材内において前記突部の裏側に、発光手段を発光させるための発光制御基板を設けたことを特徴とする遊技機。
【図面の簡単な説明】
【００７４】
【図１】本実施形態における遊技盤を示す正面図。
【図２】センター役物を示す正面図。
【図３】センター役物を示す側面図。
【図４】センター役物を示す分解斜視図。
【図５】遊技盤の一部を示す要部正面図。
【図６】遊技盤の一部を示す要部正面図。
【図７】（ａ），（ｂ）は遊技球の動きを示す説明図。
【図８】（ａ），（ｂ）は遊技球の動きを示す説明図。
【図９】ゲート、第１球入口及び第１球出口などを示す斜視図。
【図１０】（ａ）はゲート、第１球入口及び第１球出口などを示す正面図、（ｂ）はゲート、第１球入口及び第１球出口などを示す側面図。
【図１１】第２球入口及び球案内通路などを示す正面図。
【図１２】第２球入口及び球案内通路などを示す斜視図。
【図１３】ステージなどの構造を示す上面図。
【図１４】ステージなどの構造を示す斜視図。
【図１５】センター役物の下部を示す斜視図。
【図１６】可動体ユニットの正面図。
【図１７】（ａ）は可動体ユニットの左側面図、（ｂ）は可動体ユニットの右側面図。
【図１８】演出用可動体の動きを示す説明図。
【図１９】可動体ユニットの内部構造を示す図。
【図２０】（ａ），（ｂ）は演出用可動体の動きを示す説明図。
【図２１】（ａ），（ｂ）は演出用可動体の動きを示す説明図。
【図２２】（ａ），（ｂ）は遮光板及び位置検出センサなどを示す斜視図。
【符号の説明】
【００７５】
１１…遊技盤
１１ａ…遊技盤面
１２…遊技領域
１３ａ…内レール
１３ｂ…外レール
１４…発射経路
１５…球戻り防止部材
１８…表示装置としての図柄表示装置
２２ａ…入賞口としての第１始動入賞口
２２ｂ…入賞口としての第２始動入賞口
２３ａ…入賞口としての左下外入賞口
２３ｂ…入賞口としての右下内入賞口
２３ｃ…入賞口としての右下外入賞口
２３ｄ…入賞口としての右下内入賞口
３１…カバー部材としてのセンター役物
３３…開口部
４１…遊技釘
４２…球戻り防止用釘
４３…案内釘
４４ａ，４４ｂ，４４ｃ…減速釘
９１…遊技球転動通路
９２…突部としての上流側突部
９３…突部としての第１突部
９４…突部としての第２突部
９５…第１面
９６…第２面
９７…跳ね上げ防止板
Ａ１…遊技球
Ｈ…表示領域
Ｌ１，Ｌ３…延長線
Ｌ２，Ｌ４…線分
Ｓ１，Ｓ２…交点
【図１】
0005101255.tif 000002
【図２】
0005101255.tif 000003
【図３】
0005101255.tif 000004
【図４】
0005101255.tif 000005
【図５】
0005101255.tif 000006
【図６】
0005101255.tif 000007
【図７】
0005101255.tif 000008
【図８】
0005101255.tif 000009
【図９】
0005101255.tif 000010
【図１０】
0005101255.tif 000011
【図１１】
0005101255.tif 000012
【図１２】
0005101255.tif 000013
【図１３】
0005101255.tif 000014
【図１４】
0005101255.tif 000015
【図１５】
0005101255.tif 000016
【図１６】
0005101255.tif 000017
【図１７】
0005101255.tif 000018
【図１８】
0005101255.tif 000019
【図１９】
0005101255.tif 000020
【図２０】
0005101255.tif 000021
【図２１】
0005101255.tif 000022
【図２２】
0005101255.tif 000023